(57)【要約】  【課題】  音声及び映像等のデータを無線にて伝送するデータ送信装置及びデータ受信装置を備える無線伝送システムにおいて、装置の使用状況に応じて最適な電力を無線にて伝送することができる無線伝送システム、データ送信装置及びデータ受信装置を提供する。  【解決手段】  音楽ＣＤの曲間を検出する曲間検出部１４及びデータ送信装置であるオーディオ装置とデータ受信装置であるヘッドホーンとの距離を測定する距離測定部１６を備え、曲間検出部１４の検出結果及び距離測定部１６の測定結果に応じて制御部１５が無線にて送電する電力の電力量を決定する構成とすることで、装置の使用状況に最適な電力伝送を行うことができる。【選択図】      図２
2006197734.tif 000002
【特許請求の範囲】
【請求項１】
電力を無線により送電する電力送電手段を有し、データを無線により送信するデータ送信装置と、
前記電力送電手段が送電した電力を受電する電力受電手段を有し、前記データ送信装置が送信したデータを受信するデータ受信装置とを備える無線伝送システムにおいて、
前記データ送信装置は前記電力送電手段が送電する電力の電力量を変更する変更手段を有し、
前記データ受信装置は受信したデータを出力する出力手段を有すること
を特徴とする無線伝送システム。
【請求項２】
前記データ送信装置は送信するデータの有無を検出する検出手段を有し、
前記変更手段は前記検出手段の検出結果に応じて電力量を変更するようにしてある請求項１に記載の無線伝送システム。
【請求項３】
前記データ送信装置は、送信するデータに基づいて前記出力手段がデータを出力する場合に必要とする電力量を判定する判定手段を有し、
前記変更手段は前記判定手段の判定結果に応じて電力量を変更するようにしてある請求項１又は請求項２に記載の無線伝送システム。
【請求項４】
前記データ送信装置は、前記データ送信装置及び前記データ受信装置の間の距離を測定する測定手段を有し、
前記変更手段は前記測定手段の測定結果に応じて電力量を変更するようにしてある請求項１乃至請求項３のいずれか１つに記載の無線伝送システム。
【請求項５】
前記データ送信装置はデータを圧縮する圧縮手段を有し、該圧縮手段が圧縮したデータを無線により送信するようにしてある請求項１乃至請求項４のいずれか１つに記載の無線伝送システム。
【請求項６】
前記データ受信装置は受信した圧縮されたデータを伸張する伸張手段を有する請求項１乃至請求項５のいずれか１つに記載の無線伝送システム。
【請求項７】
複数個の前記データ受信装置を備え、
前記データ送信装置は複数個の前記データ受信装置にデータ及び電力を送信するようにしてある請求項１乃至請求項６のいずれか１つに記載の無線伝送システム。
【請求項８】
前記データ受信装置は使用者が装着するための装着部を有し、
データを受信するためのデータ受信アンテナ及び電力を受信するための電力受電アンテナを前記装着部に備える請求項１乃至請求項７のいずれか１つに記載の無線伝送システム。
【請求項９】
前記データ受信アンテナ及び前記電力受電アンテナはパンケーキコイル状をなし、
前記装着部に一組の前記データ受信アンテナ及び前記電力受電アンテナを複数組備える請求項８に記載の無線伝送システム。
【請求項１０】
データを無線により送信するデータ送信装置において、
電力を無線により送電する電力送電手段と、
該電力送電手段が送電する電力の電力量を変更する変更手段と
を備えることを特徴とするデータ送信装置。
【請求項１１】
無線により送信されたデータを受信するデータ受信装置において、
使用者が装着するための装着部と、
受信したデータを出力する出力手段と、
無線により送電された電力を受電する電力受電手段と
を備えることを特徴とするデータ受信装置。
【請求項１２】
データを受信するためのパンケーキコイル状のデータ受信アンテナと、
電力を受信するためのパンケーキコイル状の電力受電アンテナとを
前記装着部に複数備える請求項１１に記載のデータ受信装置。
【発明の詳細な説明】
【技術分野】
【０００１】
本発明は、音声又は映像等のデータを無線によって送信するデータ送信装置及び無線によって送信されたデータを受信するヘッドホーン又はヘッドマウントディスプレイ（以下ＨＭＤと略称する）等のデータ受信装置に関し、また、このデータ送信装置及びデータ受信装置を用いる無線伝送システムに関する。
【背景技術】
【０００２】
音楽又は映像等を楽しむためのオーディオ装置又はテレビ等を、静寂を求められる環境下で使用する場合、例えば夜間に使用する場合などでは、特定の使用者にのみ音声を提供することができるヘッドホーンを利用することが従来から行われている。また、近年においては、音声だけでなく映像も特定の使用者にのみ提供することができるＨＭＤが実用化されている。
【０００３】
従来のヘッドホーン又はＨＭＤ等はオーディオ装置又はテレビ等にケーブルで接続され、ケーブルを介してデータを受信し、小型のスピーカ又はディスプレイに音声又は映像を出力する構成となっていた。この構成ではケーブルの長さが１ｍ〜２ｍ程度であり、使用者の移動できる範囲がケーブルの長さ以内に限られるという欠点があり、また、ケーブルが存在するため使用者が移動すること自体が困難であるという欠点があった。
【０００４】
これに対し、ヘッドホーン又はＨＭＤ等とオーディオ装置又はテレビ等との間のケーブルを廃し、音声又は映像等のデータを無線により伝送することができる無線伝送システムが実用化されており、無線伝送システムでは電波又は赤外線等を用いてデータの伝送を行っている。しかし、無線伝送システムから送信されるデータを受信するヘッドホーン又はＨＭＤ等には受信回路及びスピーカ等を動作させるために電池又はバッテリ等の蓄電手段が必要であり、蓄電手段に蓄えた電力が尽きた場合には、電池の交換又はバッテリの充電等を行わなければ使用できないという欠点がある。
【０００５】
特許文献１においては、無線によるデータを受信するヘッドホーンにおいて、ヘッドホーンのバンド部を金属製とし、使用していないヘッドホーンを載置した場合に、ヘッドホーンの金属製のバンド部からバッテリに充電を行うことができる充電装置を備え、ヘッドホーンを充電装置に載置するだけで簡単にバッテリの充電を行うことができる充電装置付ヘッドホーン装置が提案されている。
【特許文献１】実開平２−１４１１４０号公報
【発明の開示】
【発明が解決しようとする課題】
【０００６】
しかしながら、特許文献１に記載の充電装置付ヘッドホーン装置においては、ヘッドホーンを使用している場合にはバッテリの充電を行うことができないため、使用中にバッテリの電力が尽きた場合、ヘッドホーンを充電装置に載置して充電を行わなければならず、連続使用時間に限界があるという問題がある。
【０００７】
一方、電力をケーブルを用いずに無線で伝送することができる無線電力伝送装置が実用化されている。無線電力伝送装置は、電力送電部及び電力受電部にそれぞれ、電磁気的に結合している一組のコイル及び共振回路を備え、コイル間で電磁波を伝送して共振回路で電力を受け取ることにより、無線で電力を伝送することを可能にしている。
【０００８】
無線電力伝送装置と同様の構成をヘッドホーン又はＨＭＤ等に採用することで、オーディオ装置又はテレビ等からデータを送信すると共に電力を送電し、受電した電力を用いて音声又は映像等の出力を行うことができ、また、バッテリを備える場合にはバッテリの充電を行うことができる。
【０００９】
しかし、無線にてデータの受信及び電力の受電を行うヘッドホーン又はＨＭＤ等は使用者が装着して使用するため、予めオーディオ装置又はテレビ等の送信装置とヘッドホーン又はＨＭＤ等の受信装置との間の距離が予測しにくく、特にヘッドホーンの場合には使用者が装着したまま移動する場合もあり、使用中に送信装置と受信装置との距離が変化する。送電する電力量を小さく設定した場合、送信装置と受信装置との距離によっては受信装置にて出力する音声又は映像等の出力を大きくすることができず、使用者が移動することができる距離が狭くなるという問題がある。送電する電力量を大きく設定した場合、送信装置の消費電力が大きくなり、送信装置と受信装置との距離が近い場合には電力が無駄になるため電力の利用効率が悪いという問題があり、また、過度に大きい電力を送電した場合には電磁波による人体への悪影響も懸念される。
【００１０】
本発明は、斯かる事情に鑑みてなされたものであって、その目的とするところは、データ及び電力を無線で伝送するデータ送信装置及びデータ受信装置を備え、送電する電力の電力量を可変とすることで、データ送信装置及びデータ受信装置の使用状況に最適な電力伝送を行うことができる、ヘッドホーン又はＨＭＤ等に適用可能な無線伝送システムを提供することにある。
【００１１】
また本発明の他の目的とするところは、データ送信装置が送信するデータの有無を検出する検出手段を備えることで、データの送信を行っていない場合はデータ受信装置のバッテリを充電するために送電する電力の電力量を大きくする、又は、データ受信装置がバッテリを備えていない場合はデータの送信を行っていないときには電力の送電を全く行わない等の使用状況に最適な電力伝送を行うことができる無線伝送システムを提供することにある。
【００１２】
また本発明の他の目的とするところは、データ送信装置が送信するデータに基づいて出力に必要な電力量を判定する判定手段を備えることで、送信するデータがデータ受信装置にて音声又は映像等で出力する場合に多くの電力を必要とするものであるときには、より多くの電力を無線にて送電することができる無線伝送システムを提供することにある。
【００１３】
また本発明の他の目的とするところは、データ送信装置とデータ受信装置との間の距離を測定する測定手段を備えることで、送電する距離に最適な電力量で電力の送電を行うことができる無線伝送システムを提供することにある。
【００１４】
また本発明の他の目的とするところは、データ送信装置が送信するデータを圧縮する圧縮手段を備えることで、無線にて送信するデータのデータ量を少なくすることができる無線伝送システムを提供することにある。
【００１５】
また本発明の他の目的とするところは、データ受信装置が圧縮されたデータを伸張する伸張手段を備えることで、無線にて送信するデータのデータ量を少なくすることができる無線伝送システムを提供することにある。
【００１６】
また本発明の他の目的とするところは、１つのデータ送信装置が複数のデータ受信装置にデータの送信及び電力の送電を行えるようにすることで、複数の使用者が使用することができる無線伝送システムを提供することにある。
【００１７】
また本発明の他の目的とするところは、データ受信装置に備えられた使用者が装着するための装着部に、データ受信用のアンテナ及び電力受電用のアンテナを備えることで、データ受信装置を小型化できる無線伝送システムを提供することにある。
【００１８】
また本発明の他の目的とするところは、データ受信用のアンテナ及び電力受電用のアンテナをパンケーキコイル状とし、一組のデータ受信用のアンテナ及び電力受電用のアンテナを複数組備えることで、小型で、データ受信及び電力受電の感度が高いデータ受信装置を備える無線伝送システムを提供することにある。
【００１９】
また本発明の他の目的とするところは、無線にて電力を送電する電力送電手段を備えることで、受電側の装置に電力を与えて動作させることができ、また、送電する電力の電力量を可変とすることで、使用状況に最適な電力の送電を行うことができるデータ送信装置を提供することにある。
【００２０】
また本発明の他の目的とするところは、無線により送電される電力を受電する電力受電手段を備えることで、使用者が電池の交換又はバッテリの充電等を行わなくてもよいデータ受信装置を提供することにある。
【００２１】
また本発明の他の目的とするところは、使用者が装着するための装着部に、パンケーキコイル状のデータ受信用のアンテナ及び電力受電用のアンテナを複数備えることで、小型で、データ受信及び電力受電の感度が高いデータ受信装置を提供することにある。
【課題を解決するための手段】
【００２２】
本発明に係る無線伝送システムは、電力を無線により送電する電力送電手段を有し、データを無線により送信するデータ送信装置と、前記電力送電手段が送電した電力を受電する電力受電手段を有し、前記データ送信装置が送信したデータを受信するデータ受信装置とを備える無線伝送システムにおいて、前記データ送信装置は前記電力送電手段が送電する電力の電力量を変更する変更手段を有し、前記データ受信装置は受信したデータを出力する出力手段を有することを特徴とする。
【００２３】
本発明においては、データ送信装置に備えた電力送電手段が無線にて送電する電力の電力量を、装置の使用状況に応じて可変とし、電力の利用効率を向上させる。
【００２４】
また、本発明に係る無線伝送システムは、前記データ送信装置が、送信するデータの有無を検出する検出手段を有し、前記変更手段は前記検出手段の検出結果に応じて電力量を変更するようにしてあることを特徴とする。
【００２５】
この発明においては、データ送信装置が送信するデータの有無を検出する検出手段を備えて、検出手段の検出結果に応じて電力送電手段が送電する電力の電力量を変更し、データの送信を行っていない場合はデータ受信装置のバッテリを充電するために送電する電力の電力量を多くする、又は、データ受信装置がバッテリを備えていない場合はデータの送信を行っていないときには電力の送電を全く行わない等の使用状況に最適な電力伝送を行う。
【００２６】
また、本発明に係る無線伝送システムは、前記データ送信装置が、送信するデータに基づいて前記出力手段がデータを出力する場合に必要とする電力量を判定する判定手段を有し、前記変更手段は前記判定手段の判定結果に応じて電力量を変更するようにしてあることを特徴とする。
【００２７】
この発明においては、データ送信装置が送信するデータに基づいて出力に必要な電力量を判定する判定手段を備え、送信するデータがデータ受信装置にて音声又は映像等で出力する場合に多くの電力を必要とするものであるときには、より多くの電力を無線にて送電して、データ受信装置が消費する電力量に最適な電力伝送を行う。
【００２８】
また、本発明に係る無線伝送システムは、前記データ送信装置が、前記データ送信装置及び前記データ受信装置の間の距離を測定する測定手段を有し、前記変更手段は前記測定手段の測定結果に応じて電力量を変更するようにしてあることを特徴とする。
【００２９】
この発明においては、データ送信装置とデータ受信装置との間の距離を測定する測定手段を備えて、伝送する距離に最適な電力量で電力伝送を行う。
【００３０】
また、本発明に係る無線伝送システムは、前記データ送信装置がデータを圧縮する圧縮手段を有し、該圧縮手段が圧縮したデータを無線により送信するようにしてあることを特徴とする。
【００３１】
この発明においては、データ送信装置が送信するデータを圧縮する圧縮手段を備えて、データ送信装置からデータ受信装置へ送信するデータのデータ量を少なくする。
【００３２】
また、本発明に係る無線伝送システムは、前記データ受信装置が、受信した圧縮されたデータを伸張する伸張手段を有することを特徴とする。
【００３３】
この発明においては、データ受信装置が圧縮されたデータを伸張する伸張手段を備えて、データ送信装置からデータ受信装置へ送信するデータのデータ量を少なくする。
【００３４】
また、本発明に係る無線伝送システムは、複数個の前記データ受信装置を備え、前記データ送信装置は複数個の前記データ受信装置にデータ及び電力を送信するようにしてあることを特徴とする。
【００３５】
この発明においては、１つのデータ送信装置が複数のデータ受信装置にデータの送信及び電力の送電を行えるようにし、複数の使用者が同時にデータの受信及び電力の受電を行えるようにする。
【００３６】
また、本発明に係る無線伝送システムは、前記データ受信装置が、使用者が装着するための装着部を有し、データを受信するためのデータ受信アンテナ及び電力を受信するための電力受電アンテナを前記装着部に備えることを特徴とする。
【００３７】
この発明においては、データ受信装置に備えられた使用者が装着するための装着部に、データ受信用のアンテナ及び電力受電用のアンテナを備えて、データ受信装置を小型化する。
【００３８】
また、本発明に係る無線伝送システムは、前記データ受信アンテナ及び前記電力受電アンテナがパンケーキコイル状をなし、前記装着部に一組の前記データ受信アンテナ及び前記電力受電アンテナを複数組備えることを特徴とする。
【００３９】
この発明においては、データ受信用のアンテナ及び電力受電用のアンテナをパンケーキコイル状とし、一組のデータ受信用のアンテナ及び電力受電用のアンテナを複数組備えて、データ受信装置のデータ受信及び電力受電の感度を高める。
【００４０】
また、本発明に係るデータ送信装置は、データを無線により送信するデータ送信装置において、電力を無線により送電する電力送電手段と、該電力送電手段が送電する電力の電力量を変更する変更手段とを備えることを特徴とする。
【００４１】
この発明においては、無線にて電力を送電する電力送電手段を備え、送電する電力の電力量を可変として、使用状況に最適な電力の送電を行い、受電側の装置を動作させる。
【００４２】
また、本発明に係るデータ受信装置は、無線により送信されたデータを受信するデータ受信装置において、使用者が装着するための装着部と、受信したデータを出力する出力手段と、無線により送電された電力を受電する電力受電手段とを備えることを特徴とする。
【００４３】
この発明においては、無線により送電される電力を受電する電力受電手段を備えて、バッテリの充電を自動的に行えるようにする、又は、バッテリを必要としなくする。
【００４４】
また、本発明に係るデータ受信装置は、データを受信するためのパンケーキコイル状のデータ受信アンテナと、電力を受信するためのパンケーキコイル状の電力受電アンテナとを前記装着部に複数備えることを特徴とする。
【００４５】
この発明においては、使用者が装着するための装着部に、パンケーキコイル状のデータ受信用のアンテナ及び電力受電用のアンテナを複数備え、装置を小型化し、データ受信及び電力受電の感度を高める。
【発明の効果】
【００４６】
本発明による場合は、データ送信装置に備えた電力送電手段が無線にて送電する電力の電力量を、装置の使用状況に応じて変更することで、電力の利用効率をよくすることができるため、データ送信装置の消費電力の増加を抑えることができ、データ受信装置が受信したデータを音声又は映像等で出力する場合の出力を大きくすることができる。
【００４７】
また本発明による場合は、データ送信装置が送信するデータの有無を検出する検出手段を備え、検出手段の検出結果に応じて送電する電力の電力量を変更することで、データの送信を行っていない場合はデータ受信装置のバッテリを充電するために送電する電力の強度を高くする、又は、データ受信装置がバッテリを備えていない場合はデータの送信を行っていないときには電力の送電を全く行わない等の使用状況に最適な電力送電を行うことができるため、電力の利用効率を向上させることができる。
【００４８】
また本発明による場合は、データ送信装置が送信するデータに基づいて出力に必要な電力量を判定する判定手段を備えることで、送信するデータがデータ受信装置にて音声又は映像等で出力する場合に多くの電力を必要とするものであるときには、より多くの電力を無線にて送電することができるため、データ受信装置は受信したデータを質の高い音声又は映像等で出力することができる。
【００４９】
また本発明による場合は、データ送信装置とデータ受信装置との間の距離を測定する測定手段を備えることで、伝送する距離に最適な電力量で電力の送電を行うことができるため、使用者は移動しながら装置を使用することができる。
【００５０】
また本発明による場合は、データ送信装置が送信するデータを圧縮する圧縮手段を備えることで、データ送信装置とデータ受信装置との間で伝送するデータのデータ量を少なくすることができるため、データの伝送を高速に行うことができる。
【００５１】
また本発明による場合は、データ受信装置が圧縮されたデータを伸張する伸張手段を備えることで、データ送信装置とデータ受信装置との間で伝送するデータのデータ量を少なくすることができるため、データの伝送を高速に行うことができる。
【００５２】
また本発明による場合は、１つのデータ送信装置が複数のデータ受信装置にデータの送信及び電力の送電を行えるようにすることで、複数の使用者が同時に無線で音楽又は映像等を楽しむことができる。
【００５３】
また本発明による場合は、データ受信装置に備えられた使用者が装着するための装着部に、データ受信用のアンテナ及び電力受電用のアンテナを備えることで、データ受信装置を小型化することができるため、データ受信装置を使用しやすくすることができる。
【００５４】
また本発明による場合は、データ受信用のアンテナ及び電力受電用のアンテナをパンケーキコイル状とし、一組のデータ受信用のアンテナ及び電力受電用のアンテナを複数組備えることで、データ受信装置を小型化することができ、また、データ受信装置のデータ受信及び電力受電の感度を高めることができるため、使用者は質の高い音楽又は映像等を楽しむことができる。
【００５５】
また本発明による場合は、無線にて電力を送電する電力送電手段を備えることで、受電側の装置に電力を与えて動作させることができるため、受電側の装置のバッテリに自動的に充電を行うことができ、また、受信側の装置に電池又はバッテリ等を備えていなくても動作させることができる。また、送電する電力の電力量を使用状況に応じて変更することで、電力の利用効率をよくすることができるため、データ送信装置の消費電力の増加を抑えることができる。
【００５６】
また本発明による場合は、無線により送電される電力を受電する電力受電手段を備えることで、バッテリの充電を自動的に行うことができ、または、バッテリを搭載せずに動作することができるため、使用者が利用しやすくすることができる。
【００５７】
また本発明による場合は、使用者が装着するための装着部に、パンケーキコイル状のデータ受信用のアンテナ及び電力受電用のアンテナを複数備える構成とすることで、データ受信装置を小型化することができるため、使用者が利用しやすくすることができ、また、データ受信及び電力受電の感度を高くすることができるため、使用者は質の高い音楽又は映像等を楽しむことができる。
【発明を実施するための最良の形態】
【００５８】
以下、本発明をその実施の形態を示す図面に基づき具体的に説明する。
（実施の形態１）
実施の形態１は、オーディオシステムに関し、無線にてデータを送信するオーディオ装置及び無線にて送信されたデータを受信するヘッドホーンを備える。図１は、本発明の実施の形態１に係るヘッドホーンの斜視図である。図において１、１は音声出力部であり、音声出力部１、１は使用者が頭部に装着するための逆Ｕ字型の装着部２の両端に固定され支持されている。装着部２の内部には無線によるデータを受信するためのデータ受信アンテナ３及び電力を受電するための電力受電アンテナ４が複数備えてあり、データ受信アンテナ３及び電力受電アンテナ４は共にパンケーキコイル状をなす。
【００５９】
図２は、本発明の実施の形態１に係るオーディオ装置の構成を示すブロック図であり、図３は、本発明の実施の形態１に係るヘッドホーンの構成を示すブロック図である。図において１０はオーディオ装置であり、オーディオ装置１０はヘッドホーン３０に無線により音声データを送信し、また、無線により電力を送電する。ヘッドホーン３０はオーディオ装置１０から無線により送信された音声データをデータ受信アンテナ３で受信し、また、無線により送電された電力を電力受電アンテナ４で受電する。
【００６０】
オーディオ装置１０はＣＤドライブ１７を備え、ＣＤドライブ１７は記録媒体であるＣＤ−ＲＯＭ２０から音声データを読み出し、使用者がヘッドホーン３０を用いて音声を聞く場合には圧縮部１８へ音声データを与え、そうでない場合はＤ／Ａ変換回路２１へ音声データを与える。Ｄ／Ａ変換回路２１はディジタルの音声データをアナログの音声信号に変換して信号増幅回路２２へ与え、信号増幅回路２２は与えられた音声信号を増幅してスピーカ２３から出力する。圧縮部１８は、与えられた音声データをＷＭＡ又はＭＰ３等の圧縮伸張方式で圧縮し、圧縮した音声データをデータ送信回路１９へ与える。データ送信回路１９はデータ送信アンテナ２５を備えており、与えられた音声データを高周波信号に変換し、データ送信アンテナ２５からヘッドホーン３０に備えてあるデータ受信アンテナ３へ送信する。
【００６１】
オーディオ装置１０に備えてある制御部１５はオーディオ装置１０からヘッドホーン３０へ送電する電力の電力量を制御しており、曲間検出部１４が検出する音声データの曲間及び距離測定部１６が測定するオーディオ装置１０とヘッドホーン３０との間の距離から電力量を決定している。曲間検出部１４は、ＣＤドライブ１７が読み出した音声データから音声データの無音状態、所謂、音楽ＣＤ又は音楽ＭＤ等に記録されている曲と曲との曲間を検出し、検出結果を制御部１５へ与えている。距離測定部１６はヘッドホーン３０に備えられた赤外線発光部３３からの赤外線を受光し、受光した赤外線の強度からオーディオ装置１０とヘッドホーン３０との間の距離を測定し、測定結果である距離情報を制御部１５へ与えている。
【００６２】
制御部１５は電力増幅回路１２及び電力送電回路１３を制御して、電力量を変更しながら、無線にてヘッドホーン３０へ電力を与えている。電力増幅回路１２は、電源回路１１から与えられた電力を制御部１５が決定した電力量に増幅し、電力送電回路１３へ与えている。電力送電回路１３は電力送電アンテナ２４を備えており、電力増幅回路１２より与えられた電力からパルス信号を作成し、パルス信号を電力送電アンテナ２４から電磁波としてヘッドホーン３０に備えられた電力受電アンテナ４へ送電する。
【００６３】
ヘッドホーン３０は、オーディオ装置１０から無線にて送電される電力を受電するための電力受電回路３１を備えている。電力受電回路３１は、電力受電アンテナ４及び図示しない共振回路を備えており、オーディオ装置１０の電力送電アンテナ２４から送電された電磁波を電力受電アンテナ４にて受電し、共振回路にてパルス信号に復元して整流回路３２へ与えている。整流回路３２は、パルス信号を直流の電圧に変換して電源回路３４へ与える。
【００６４】
電源回路３４は、整流回路３２及び二次電池３５から電力が供給されており、供給された電力を赤外線発光部３３、データ受信回路３６、データバッファ３７、デコーダ３８、Ｄ／Ａ変換回路３９、信号増幅回路４０及び音声出力部１へ与えて各部を動作させている。電源回路３４は、通常は整流回路３２からの電力を各部へ与えており、整流回路３２からの電力供給が途切れた場合には、二次電池３５からの電力を各部へ与える。また、整流回路３２から供給される電力の電力量が各部を動作させるために必要な電力量以上である場合には、二次電池３５へ余剰電力を充電することができる。
【００６５】
赤外線発光部３３は、オーディオ装置１０とヘッドホーン３０との間の距離を測定するために、オーディオ装置１０の距離測定部１６へ向けて赤外線を発光している。データ受信回路３６はデータ受信アンテナ３を備え、オーディオ装置１０のデータ送信回路１９から送信される圧縮された音声データをデータ受信アンテナ３から受信して、受信した音声データをデータバッファ３７へ蓄える。データバッファ３７に蓄えられた音声データをデコーダ３８は読み出し、圧縮された音声データをデコードしてＤ／Ａ変換回路３９へ与え、Ｄ／Ａ変換回路３９はディジタルの音声データをアナログの音声信号に変換して信号増幅回路４０へ与える。信号増幅回路４０は、与えられた音声信号を増幅して音声出力部１へ与え、音声出力部１に備えた図示しないスピーカから音声を出力する。
【００６６】
図４は、本発明の実施の形態１に係るオーディオ装置１０の制御部１５が行う電力制御の処理を示すフローチャートである。制御部１５は音声データの再生が開始された場合、オーディオ装置１０とヘッドホーン３０との距離を示す距離情報を距離測定部１６から取得し（ステップＳ１）、距離に応じて送電する電力の電力量を設定する（ステップＳ２）。次いで、曲間検出部１４の検出結果から音声データが無音状態の曲間であるか否かを判定し（ステップＳ３）、音声データが曲間である場合は（Ｓ３：ＹＥＳ）、ヘッドホーン３０の二次電池３５へ充電するため、電力量を大きく設定し直す（ステップＳ４）。音声データが曲間でない場合は（Ｓ３：ＮＯ）、次のステップＳ５へ進む。
【００６７】
電力量の設定終了後、電力送電回路１３から設定された電力量の電力を送電する（ステップＳ５）。次いで曲間検出部１４の検出結果から音声データの状態に変化があるか否か、即ち曲から曲間へ変化したか、又は曲間から曲へ変化したか、を調べる（ステップＳ６）。音声データの状態に変化がない場合（Ｓ６：ＮＯ）、ステップＳ５へ戻って設定された電力量の電力を送電する。音声データの状態に変化があった場合（Ｓ６：ＹＥＳ）、音声データの再生が終了したか否かを調べて（ステップＳ７）、再生が終了していない場合は（Ｓ７：ＮＯ）、ステップＳ１へもどり電力の送電を継続し、再生が終了した場合は（Ｓ７：ＹＥＳ）、電力の送電を終了する。
【００６８】
以上の構成の無線伝送システムにおいては、オーディオ装置１０からヘッドホーン３０へ音声データの送信及び電力の送電を行うことができ、音楽ＣＤに記録された曲の曲間に、ヘッドホーン３０に備えた二次電池３５を自動的に充電することができる。図５は、本発明の実施の形態１に係る無線伝送システムの電力送電の処理例を示すタイミングチャートである。
【００６９】
図５において（Ａ）は音声データであり、ａ１区間、ａ３区間、ａ５区間が曲を示しており、ａ２区間及びａ４区間が曲間、ａ６区間が再生終了状態を示している。（Ｂ）はオーディオ装置１０とヘッドホーン３０との間の距離であり、例えばｂ１点よりもｂ２点の方が距離が離れていることを示している。（Ｃ）はオーディオ装置１０が送電する電力の電力量を示している。
【００７０】
音声データの再生が開始された場合、距離測定部１６にて距離情報ｂ１を取得してｂ１に応じた電力量ｃ１に設定し、電力を送電する。曲ａ１が終了して曲間ａ２に音声データが変化した場合、距離情報ｂ２を取得してｂ２に応じた充電用の大きな電力量ｃ２に設定し、電力を送電する。曲間ａ２から曲ａ３に音声データが変化した場合、距離情報ｂ３を取得してｂ３に応じた電力量ｃ３に設定し、電力を送電する。曲間ａ４及び曲ａ５の場合も同様の処理が行われ、再生終了状態ａ６の場合は電力の送電を停止する。
【００７１】
なお、本実施の形態においては音声データを電波にて送信する構成を示したが、他の手段を用いてもよく、例えば赤外線を用いて送信する構成としてもよい。また、送信するデータをディジタルの音声データとしたが、アナログの音声データであっても良く、送信するディジタルの音声データを圧縮する構成としたが、圧縮しない構成であってもよい。また、音声データが記録してある記録媒体をＣＤ−ＲＯＭ２０としたが、これに限るものではなく、ＭＤ、ＤＶＤ又は半導体メモリ等であってもよい。また、オーディオ装置１０とヘッドホーン３０との間の距離を赤外線を用いて測定する構成を示したが、これに限らず、例えばヘッドホーン３０が超音波を発信して、オーディオ装置１０が受信した超音波の強度から距離を測定するなどの他の構成であってもよい。また、ヘッドホーン３０に赤外線を発光する赤外線発光部３３を備えず、ヘッドホーン３０を装着した使用者から発せられる赤外線から距離を測定する構成であってもよい。
【００７２】
（実施の形態２）
実施の形態２もまた、オーディオシステムに関し、無線にてデータを送信するオーディオ装置及び無線にて送信されたデータを受信するヘッドホーンを備える。図６は、本発明の実施の形態２に係るヘッドホーンの構成を示すブロック図である。図において３０ａはヘッドホーンであり、ヘッドホーン３０ａは、実施の形態１に係る無線伝送システムのヘッドホーン３０が二次電池３５を備えない構成である。ヘッドホーン３０ａは二次電池を備えないため、電源回路３４ａは整流回路３２から供給される電力のみを赤外線発光部３３、データ受信回路３６、データバッファ３７、デコーダ３８、Ｄ／Ａ変換回路３９、信号増幅回路４０及び音声出力部１へ与えて各部を動作させている。
【００７３】
また、本実施の形態に係る無線伝送システムにおいては、オーディオ装置１０とヘッドホーン３０ａとの間の距離を常時調べて、距離の変化に応じて送電する電力量を変化させる。図７は、本発明の実施の形態２に係るオーディオ装置１０の制御部１５が行う電力制御の処理を示すフローチャートである。
【００７４】
制御部１５は音声データの再生が開始された場合、オーディオ装置１０とヘッドホーン３０ａとの距離を示す距離情報を距離測定部１６から取得し（ステップＳ２１）、距離に応じて送電する電力の電力量を設定する（ステップＳ２２）。次いで、曲間検出部１４の検出結果から音声データが無音状態の曲間であるか否かを判定し（ステップＳ２３）、音声データが曲間でない場合は（Ｓ２３：ＮＯ）、設定した電力量の電力を電力送電回路１３から送電し（ステップＳ２４）、音声データが曲間である場合は（Ｓ２３：ＹＥＳ）、電力を送電せずにステップＳ２５へ進む。次いで、音声データの再生が終了したか否かを調べ（ステップＳ２５）、再生が終了していない場合は（Ｓ２５：ＮＯ）、ステップＳ２１へ戻り、電力の送電を継続する。再生が終了した場合は（Ｓ２５：ＹＥＳ）、電力の送電を終了する。
【００７５】
以上の構成の実施の形態２に係る無線伝送システムにおいては、オーディオ装置１０とヘッドホーン３０ａとの間の距離を常時調べて、距離の変化にあわせて送電する電力の電力量を変化させることができるため、電力の利用効率を高めることができる。図８は、本発明の実施の形態２に係る無線伝送システムの電力送電の処理例を示すタイミングチャートである。
【００７６】
図８において（Ａ）は音声データであり、（Ｂ）はオーディオ装置１０とヘッドホーン３０ａとの間の距離であり、（Ｃ）はオーディオ装置１０が送電する電力の電力量を示している。音声データが曲のデータであるａ１区間、ａ３区間及びａ５区間では、距離に応じて電力量が変化しており、音声データが曲間であるａ２区間及びａ４区間、並びに再生終了状態であるａ６区間では電力の送電は行わない。
【００７７】
なお、本実施の形態においては、ヘッドホーン３０ａに二次電池を備えない構成を示したが、二次電池を備える構成としてもよい。
【００７８】
実施の形態２に係る無線伝送システムのその他の構成は、実施の形態１に係る無線伝送システムの構成と同様であるため、同様の箇所には同じ符号を付して詳細な説明を省略する。
【００７９】
（実施の形態３）
実施の形態３は、無線にて音声及び映像のデータを送信する動画再生装置と、無線にて送信された音声及び映像データを受信して出力するＨＭＤとを備える無線伝送システムである。図９は、本発明の実施の形態３に係るＨＭＤの斜視図である。
【００８０】
図において５０、５０はＨＭＤの音声出力部であり、５１は映像出力部である。音声出力部５０、５０には音声を出力する図示しないスピーカが備えられている。また、映像出力部５１には液晶又は有機ＥＬ等による図示しない表示素子と、表示素子にて表示する映像を拡大するための図示しないレンズとを備えており、静止画及び動画等の映像を表示して使用者に提供することができる。音声出力部５０、５０及び映像出力部５１は、使用者の頭部に装着するための円環状の装着部５３に固定され支持されており、装着部５３の内部にはパンケーキコイル状のデータ受信アンテナ５４及び電力受電アンテナ５５が複数個備えてある。
【００８１】
図１０は、本発明の実施の形態３に係る動画再生装置の構成を示すブロック図であり、図１１は、本発明の実施の形態３に係るＨＭＤの構成を示すブロック図である。
【００８２】
図において６０は動画再生装置であり、動画再生装置６０はＨＭＤ８０に無線にて動画データの送信及び電力の送電を行う機能を有している。動画再生装置６０に備えてある読出部６４は、ＤＶＤ、ブルーレイディスク又はＨＤＤ等の記録媒体６５からＭＰＥＧ２、ＭＰＥＧ４又はモーションＪＰＧ等の圧縮伸張方式により圧縮された動画データを読み出す。読出部６４は読み出した動画データを、使用者がＨＭＤ８０を使用して動画データの視聴を行う場合にはデータ送信回路１９へ与え、ＨＭＤ８０を使用せずに動画再生装置６０に接続された外部の表示装置１００を使用して動画データの視聴を行う場合にはデコーダ６６へ与える。データ送信回路１９はデータ送信アンテナ２５を備えており、与えられた動画データを高周波信号に変換して、ＨＭＤへ無線にて送信する。デコーダ６６は圧縮された動画データを伸張してＤ／Ａ変換回路６７へ与え、Ｄ／Ａ変換回路６７はディジタルの動画データをアナログの映像信号及び音声信号に変換して出力部６８へ与える。出力部６８には外部の表示装置１００を接続することができ、映像信号及び音声信号を表示装置１００へ与えて表示装置１００にて動画の表示を行う。
【００８３】
動画再生装置６０に備えてある制御部６２は、動画再生装置６０からＨＭＤ８０へ送電する電力の電力量を制御しており、明度判定部６１が判定する動画データの明度及び距離測定部６３が測定する動画再生装置６０とＨＭＤ８０との間の距離から電力量を決定し、電源回路１１からの電力を電力増幅回路１２、電力送電回路１３及び電力送電アンテナ２４によりＨＭＤ８０へ送電する。
【００８４】
明度判定部６１は、読出部６４が読み出した動画データから映像の明度を判定し、判定結果である明度情報を制御部６２に与えている。映像の明度に応じて送電する電力量を変更するのは、ＨＭＤ８０の映像出力部５１にて消費する電力量が映像の明度により異なるためであり、例えば明度の低い暗い映像のデータを送信する場合は電力量を大きく設定する。
【００８５】
距離測定部６３は、ＨＭＤ８０に備えられた赤外線発光部８１からの赤外線を受光し、受光した赤外線の強度から動画再生装置６０とＨＭＤ８０との間の距離を測定し、測定結果である距離情報を制御部６２へ与える。また、距離測定部６３は、波長の異なる複数の赤外線を受光して区別することができ、複数のＨＭＤ８０からの赤外線を受光してそれぞれの距離を測定することができる。この場合、最も遠いＨＭＤ８０の距離を距離情報として制御部６２へ与える。
【００８６】
ＨＭＤ８０は、動画再生装置６０から送電された電力を電力受電回路３１及び電力受電アンテナ５５にて受電し、整流回路３２で直流電圧に変換する。電源回路８２には整流回路３２及び二次電池３５から電力が供給されており、供給された電力を赤外線発光部８１、データ受信回路３６、データバッファ８３、デコーダ８４、Ｄ／Ａ変換回路８５、映像出力部５１及び音声出力部５０へ与えて各部を動作させている。電源回路８２は、通常は整流回路３２からの電力を各部へ与えており、整流電流からの電力供給が途切れた場合には、二次電池３５からの電力を各部へ与える。また、整流回路３２から供給される電力の電力量が各部を動作させるために必要な電力量以上である場合には、二次電池３５へ余剰電力を充電することができる。
【００８７】
赤外線発光部８１は、動画再生装置６０とＨＭＤ８０との間の距離を測定するための赤外線を発光している。複数のＨＭＤ８０を区別するために、赤外線発光部８１は赤外線の周波数を変更することができ、周波数の変更は使用者が図示しない切替スイッチを用いて行う。
【００８８】
データ受信回路３６はデータ受信アンテナ５４を備え、動画再生装置６０から送信された動画データを受信してデータバッファ８３に蓄積する。デコーダ８４はデータバッファ８３から動画データを読み出し、圧縮された動画データをデコードしてＤ／Ａ変換回路８５へ与え、Ｄ／Ａ変換回路８５はディジタルの動画データをアナログの映像信号及び音声信号に変換して、映像信号を映像出力部５１へ与え、音声信号を音声出力部５０へ与える。映像出力部５１にて映像を出力し、音声出力部５０にて音声を出力し、使用者は動画を楽しむことができる。
【００８９】
図１２は、本発明の実施の形態３に係る動画再生装置６０の制御部６２が行う電力制御の処理を示すフローチャートである。制御部６２は動画データの再生が開始された場合、動画記録装置６０とＨＭＤ８０との距離を示す距離情報を距離測定部６３から取得し（ステップＳ４１）、送信する動画データの映像の明度を示す明度情報を明度判定部６１から取得する（ステップＳ４２）。次いで、取得した距離情報及び明度情報に応じて送電する電力の電力量を設定して（ステップＳ４３）、電力増幅回路１２及び電力送電回路１３にて設定した電力量の電力を送電する（ステップＳ４４）。電力を送電した後、動画データの再生が終了か否かを調べ（ステップＳ４５）、再生が終了でない場合は（Ｓ４５：ＮＯ）、ステップＳ４１へ戻って電力の送電を継続する。再生が終了の場合は（Ｓ４５：ＹＥＳ）、電力の送電を終了する。
【００９０】
以上の構成の実施の形態３に係る無線伝送システムにおいては、送信する動画データの明度を判定することで、ＨＭＤ８０の映像出力部５１で消費される電力にあわせた電力量の電力を送電することができるため、電力の利用効率を高めることができる。図１３は、本発明の実施の形態３に係る無線伝送システムの電力送電の処理例を示すタイミングチャートである。
【００９１】
図１３において（Ａ）は動画データの映像の明度であり、例えばａ１１区間はａ１２区間よりも明度が低い、即ち暗い映像であることを示している。ａ１１区間からａ１８区間までは動画データの再生を行っており、ａ１９区間は動画データの再生が終了したことを示している。（Ｂ）は動画再生装置６０とＨＭＤ８０との間の距離であり、２つのＨＭＤ８０に動画データを送信する場合を示している。動画再生装置６０と一方のＨＭＤ８０との距離をＢ１、他方のＨＭＤ８０との距離をＢ２で示す。（Ｃ）は動画再生装置６０が送電する電力の電力量を示している。
【００９２】
ＨＭＤ８０の映像出力部５１で消費される電力は、映像の明度が低いほど多いため、送電する電力の電力量は映像の明度が低い場合に多く設定する。また、動画再生装置６０と２つのＨＭＤ８０との距離では、より遠いＨＭＤ８０との距離に応じて電力量を変化させる。動画の再生が終了したａ１９区間では電力の送信は行わない。
【００９３】
なお、本実施の形態においては、動画再生装置６０と複数のＨＭＤ８０との間の距離から電力量を決定する場合に、最も遠い距離に応じて電力量を決定するものとしたが、これに限らず、最も近い距離又は距離の平均値等に応じて電力量を決定してもよい。
【００９４】
実施の形態３に係る無線伝送システムのその他の構成は、実施の形態２に係る無線伝送システムの構成と同様であるため、同様の箇所には同じ符号を付して詳細な説明を省略する。
【図面の簡単な説明】
【００９５】
【図１】本発明の実施の形態１に係るヘッドホーンの斜視図である。
【図２】本発明の実施の形態１に係るオーディオ装置の構成を示すブロック図である。
【図３】本発明の実施の形態１に係るヘッドホーンの構成を示すブロック図である。
【図４】本発明の実施の形態１に係るオーディオ装置の制御部が行う電力制御の処理を示すフローチャートである。
【図５】本発明の実施の形態１に係る無線伝送システムの電力送電の処理例を示すタイミングチャートである。
【図６】本発明の実施の形態２に係るヘッドホーンの構成を示すブロック図である。
【図７】本発明の実施の形態２に係るオーディオ装置の制御部が行う電力制御の処理を示すフローチャートである。
【図８】本発明の実施の形態２に係る無線伝送システムの電力送電の処理例を示すタイミングチャートである。
【図９】本発明の実施の形態３に係るＨＭＤの斜視図である。
【図１０】本発明の実施の形態３に係る動画再生装置の構成を示すブロック図である。
【図１１】本発明の実施の形態３に係るＨＭＤの構成を示すブロック図である。
【図１２】本発明の実施の形態３に係る動画再生装置の制御部が行う電力制御の処理を示すフローチャートである。
【図１３】本発明の実施の形態３に係る無線伝送システムの電力送電の処理例を示すタイミングチャートである。
【符号の説明】
【００９６】
１、５０  音声出力部
２、５３  装着部
３、５４  データ受信アンテナ
４、５５  電力受電アンテナ
１０  オーディオ装置
１２  電力増幅回路
１３  電力送電回路
１４  曲間検出部
１５、６２  制御部
１６、６３  距離測定部
１８  圧縮部
１９  データ送信回路
２４  電力送電アンテナ
２５  データ送信アンテナ
３０、３０ａ  ヘッドホーン
３１  電力受電回路
３３  赤外線発光部
３６  データ受信回路
３８、８４  デコーダ
５１  映像出力部
６０  動画再生装置
６１  明度判定部
８０  ＨＭＤ
【図１】
2006197734.tif 000003
【図２】
2006197734.tif 000004
【図３】
2006197734.tif 000005
【図４】
2006197734.tif 000006
【図５】
2006197734.tif 000007
【図６】
2006197734.tif 000008
【図７】
2006197734.tif 000009
【図８】
2006197734.tif 000010
【図９】
2006197734.tif 000011
【図１０】
2006197734.tif 000012
【図１１】
2006197734.tif 000013
【図１２】
2006197734.tif 000014
【図１３】
2006197734.tif 000015